(57)【要約】【課題】商用電源である１００Ｖないし２００Ｖの電源が供給できない屋外や店頭などの場所においても、デモ動作を行えるようにすること。【解決手段】外郭ケース３の右側に設けられた、加熱コイル４、５の制御部である誘導加熱制御部１２と、誘導加熱制御部１３及び制御部１７との間に電池部１４を搭載し、電池部１４の電源を用いて、操作部７、１１、表示部１５、報知部１６に動作が可能な電力供給をすることにより、デモ動作を行うことが可能となる。【選択図】図１
2017168231.tif 000002
【特許請求の範囲】
【請求項１】
トッププレートを有する本体と、被加熱物を誘導加熱する誘導加熱部と、誘導加熱による加熱を制御する制御部と、前記制御部に電源を供給する電池部と、を備えた誘導加熱調理器であって、
前記制御部には、動作条件が入力される操作部と、動作状況を表示する表示部と、操作の受付、動作条件、及び異常状態を報知する報知部と、が備えられ、
前記制御部の電源に前記電池部のみが接続されている場合には、前記制御部は、前記誘導加熱部の誘導加熱を禁止するとともに、前記操作部、前記表示部、及び前記報知部において、デモ動作を行う誘導加熱調理器。
【請求項２】
前記デモ動作に移行すると、前記制御部は、前記操作部、前記表示部、及び前記報知部において、誘導加熱時と同じ様に動作を行う請求項１に記載の誘導加熱調理器。
【請求項３】
商用電源から電源を前記誘導加熱調理器へ供給する電源供給部と、前記商用電源の電源電圧を検知する電源電圧検知部と、をさらに備え、
前記電源電圧検知部によって前記電源供給部による商用電源の電圧を検知した場合には、前記制御部は、前記誘導加熱部を制御し、前記トッププレートに載置された前記被加熱物を誘導加熱するようにした請求項１または２に記載の誘導加熱調理器。
【請求項４】
前記操作部には、前記デモ動作を行うように入力されるデモ設定部が設けられ、前記電源電圧検知部によって前記誘導加熱調理器に商用電源が供給されたと判断した場合において、前記デモ設定部に前記デモ動作を行うように入力された場合には、前記制御部は、前記誘導加熱部の誘導加熱を禁止するとともに、前記操作部、前記表示部、及び前記報知部において、前記デモ動作に移行する請求項３に記載の誘導加熱調理器。
【請求項５】
前記商用電源から前記電池部の電池を充電する電池充電部が設けられ、前記電源電圧検知部によって前記誘導加熱調理器に商用電源が供給されたと判断した場合には、前記電池充電部は、前記電池を充電する請求項１〜４のいずれか１項に記載の誘導加熱調理器。
【請求項６】
前記電池部は、前記本体内部に有する電池収納部に収納された請求項１〜５のいずれか１項に記載の誘導加熱調理器。
【請求項７】
前記電池収納部に前記電池部を着脱する電池着脱部が設けられた請求項６に記載の誘導加熱調理器。
【請求項８】
前記電池着脱部が前記本体の外郭ケース側面に設けられた請求項７に記載の誘導加熱調理器。
【請求項９】
収納された被加熱物を加熱する調理庫をさらに備え、前記電池着脱部が前記調理庫側面に設けられた請求項７に記載の誘導加熱調理器。
【請求項１０】
前記電池部を前記本体に接続する接続部をさらに備え、前記電池部が前記本体外部に取り付けられた請求項１〜５のいずれか１項に記載の誘導加熱調理器。
【請求項１１】
前記電池部は、前記本体の前面に有する接続部からケーブルを介して前記本体外部に取り付けられた請求項１０に記載の誘導加熱調理器。
【発明の詳細な説明】
【技術分野】
【０００１】
本発明は、機器の店頭デモンストレーションが行える誘導加熱調理機器に関するものである。
【背景技術】
【０００２】
従来、この種の誘導加熱調理器は加熱部の高火力化、及び機器の総電力を確保、するために２００Ｖ電源を用いた機器となっている。しかし店頭等において、２００Ｖコンセントが常設されているところは稀であり、１００Ｖ電源が一般的である。そのような環境にてデモンストレーション(以下、デモという)や展示が行えるように、機器の入力構成を、片線を共通とし、第１、第２の二つの電源（それぞれ１００Ｖ）からなる単相三線式商用電源とし、所定の二線間の電圧を検知し、電圧が所定電圧以下のとき、特定の加熱を禁止する機能や、異常状態を表示したりする機能があるように構成されている（例えば、特許文献１、２参照）。
【先行技術文献】
【特許文献】
【０００３】
【特許文献１】特公平０６−０１２７００号公報
【特許文献２】特開２００４−３２７１０９号公報
【発明の概要】
【発明が解決しようとする課題】
【０００４】
しかしながら、従来の誘導加熱調理器は、図１１に示すように、本体内部には、加熱コイル（誘導加熱部）４、５と、各加熱コイルの誘導加熱制御部１２、１３、４６と、制御部１７と、調理庫８などが備えられた構成なので、前記従来の構成では、２００Ｖまたは１００Ｖの商用電源に接続されて電源が供給される箇所でデモを行うため、デモの展示環境が制限されるという課題を有していた。
【０００５】
本発明は、前記従来の課題を解決するものであり、２００Ｖ、及び１００Ｖ電源が使用できない設置個所、すなわち店頭や屋外などの商用電源に接続出来ないような設置箇所においても、デモを行うことが可能な誘導加熱調理器を提供することを目的とする。
【課題を解決するための手段】
【０００６】
前記従来の課題を解決するために、本発明の誘導加熱調理器は、デモを行うための電源を電池によって供給しているものである。
【０００７】
これによって、商用電源が供給される箇所では誘導加熱調理が可能であるとともに、２００Ｖおよび１００Ｖの商用電源が接続出来ない店頭や屋外などの箇所においては、誘導加熱調理器を設置し、誘導加熱調理を禁止し、実動させずに、デモをおこなうことが可能となる。
【発明の効果】
【０００８】
本発明の加熱調理器は、電池による電源供給によって、電源のない店頭や屋外においてデモを行うことができる。
【図面の簡単な説明】
【０００９】
【図１】本発明の実施の形態１における誘導加熱調理器の斜視図
【図２】本発明の実施の形態１における誘導加熱調理器の断面図
【図３】本発明の実施の形態２における誘導加熱調理器のブロック図
【図４】本発明の実施の形態３における誘導加熱調理器のブロック図
【図５】本発明の実施の形態４における誘導加熱調理器のブロック図
【図６】本発明の実施の形態４における誘導加熱調理器のフローチャート
【図７】本発明の実施の形態５における誘導加熱調理器のブロック図
【図８】本発明の実施の形態７における誘導加熱調理器の斜視図
【図９】本発明の実施の形態７における誘導加熱調理器の斜視図
【図１０】本発明の実施の形態８における誘導加熱調理器の斜視図
【図１１】従来の誘導加熱調理器の断面図
【発明を実施するための形態】
【００１０】
第１の発明は、トッププレートを有する本体と、被加熱物を誘導加熱する誘導加熱部と、誘導加熱による加熱を制御する制御部と、前記制御部に電源を供給する電池部と、を備えた誘導加熱調理器であって、前記制御部には、動作条件が入力される操作部と、動作状況を表示する表示部と、操作の受付、動作条件、及び異常状態を報知する報知部と、が備えられ、前記制御部の電源に前記電池部のみが接続されている場合には、前記制御部は、前記誘導加熱部の誘導加熱を禁止するとともに、前記操作部、前記表示部、及び前記報知部において、デモ動作を行うとすることにより、誘導加熱調理器に商用電源が接続出来ないような環境においても、電池を電源とすることによってデモ動作をさせることが可能となる。
【００１１】
第２の発明は、特に、第１の発明において、前記デモ動作に移行すると、前記制御部は、前記操作部、前記表示部、及び前記報知部において、誘導加熱時と同じ様に動作を行うとすることにより、デモ動作において通常の操作性や報知パターンを体験することが可能となる。
【００１２】
第３の発明は、特に、第１または第２の発明において、商用電源から電源を前記誘導加熱調理器へ供給する電源供給部と、前記商用電源の電源電圧を検知する電源電圧検知部と、をさらに備え、前記電源電圧検知部によって前記電源供給部による商用電源の電圧を検知した場合には、前記制御部は、前記誘導加熱部を制御し、前記トッププレートに載置された前記被加熱物を誘導加熱するとすることにより、商用電源に誘導加熱調理器を接続した場合、誘導加熱動作によって被加熱物を加熱することが可能となる。
【００１３】
第４の発明は、特に、第３の発明において、前記操作部には、デモ動作を行うように入力されるデモ設定部が設けられ、前記電源電圧検知部によって前記誘導加熱調理器に商用電源が供給されたと判断した場合において、前記デモ設定部に前記デモ動作を行うように入力された場合には、前記制御部は、誘導加熱を禁止するとともに、前記操作部、前記表示部、及び前記報知部において、前記デモ動作に移行するとすることにより、商用電源接続時においても誘導加熱動作だけでなく、デモ動作を可能としたものである。
【００１４】
第５の発明は、特に、第１〜４のいずれか１つの発明において、前記商用電源から前記電池部の電池を充電する電池充電部が設けられ、前記電源電圧検知部によって前記誘導加熱調理器に商用電源が供給されたと判断した場合には、前記電池充電部は、前記電池を充電するとすることにより、電源供給部は、電池部に電源を充電するだけでなく、誘導加熱部にも電力を与えることで、誘導加熱動作なども出来るようしたものである。また、電池を使用しない場合、本体の動作と同時に電池を充電することが可能となるため、電源電圧による通常動作と同時に電池の充電が可能となり、本体を用いて充電が可能となる。
【００１５】
第６の発明は、特に、第１〜５のいずれか１つの発明において、前記電池部は、前記本体内部に有する電池収納部に収納されたとすることにより、電池を本体内部に搭載するこ
とにより、電池を新たに設置することなく、本体のみでデモが行える。また、本体内に電池を収納しているため、顧客がデモ動作時に誤って電池に接触することを防ぐことが出来る。
【００１６】
第７の発明は、特に、第６の発明の前記電池収納部に前記電池部を着脱する電池着脱部が設けられたとすることにより、電池の着脱が可能となり、誘導加熱調理器を移動させ充電させることが出来ない環境に本体を展示した場合も電池部のみを着脱し充電することが可能となる。
【００１７】
第８の発明は、特に、第７の発明の前記電池着脱部が前記本体の外郭ケース側面に設けられたとすることにより、誘導加熱調理器を設置したキャビネットから取り外すことにより、容易に電池を着脱することが可能となる。また、電池の着脱においては、本体をキャビネットから取り外す必要があり、誘導加熱調理器のデモ動作を体験している顧客には電池を触れることが容易に出来ず、電池の着脱が設置者のみが可能となるため安全性を確保できる。
【００１８】
第９の発明は、特に、第７の発明において、収納された被加熱物を加熱する調理庫をさらに備え、前記電池着脱部が前記調理庫側面に設けられたとすることにより、電池部を着脱することが可能となり、誘導加熱調理器を設置したディスプレイ台から取り外すことなく、電池の着脱を行うことが出来る。
【００１９】
第１０の発明は、特に、第１〜５のいずれか１つの発明において、前記電池部を前記本体に接続するための接続部をさらに備え、前記電池部が本体外部にから取り付けられたとすることにより、本体外部に電池を設置することが可能となり、電池部の設置位置をデモ時ごとに変えることが可能である。また、電池の大きさを自由に変更できるため、電池容量を変更することが可能となる。
【００２０】
第１１の発明は、特に、第１０の発明の前記電池部は、前記本体の前面に有する前記接続部からケーブルを介して前記本体外部に取り付けられたとすることにより、本体前面に接続することが可能となり着脱が容易になるとともに、本体の下部にある設置場所のスペース等に充電部を収納することが容易となる。
【００２１】
以下、本発明の実施の形態について、図面を参照しながら説明する。なお、この実施の形態によって本発明が限定されるものではない。
【００２２】
（実施の形態１）
図１は本発明における第１の実施の形態における誘導加熱調理器の斜視図、図２は誘導加熱調理器の断面図を示す。図１において、本体１はキッチン等のディスプレイ台に組み込んで使用する組み込み型のもので、本体１の側面、後面、及び底面は、外郭ケース３により構成されている。本体１の上面は耐熱・強化ガラスである結晶化ガラスを素材とした被加熱物を載置する天面（トッププレート）２からなる。図１に示す、天面２の内部には誘導加熱部である左側の加熱コイル（誘導加熱部）４、右側の加熱コイル（誘導加熱部）５、後方の加熱コイル（誘導加熱部）６が配置され、天面２の前方表面及び、内部に加熱制御部の動作条件が入力される操作部７を備えている。
【００２３】
また図１、図２において、本体１の前面左側には、食材を収納して加熱調理する調理庫８が扉の内側に構成されており、庫内上部には、シーズヒータ９を、庫内下部に食材を載置するプレートを誘導加熱する加熱コイル（誘導加熱部）１０が備えられている。このシーズヒータ９および、加熱コイル１０は本体１前面右側内部にある操作部１１によって誘導加熱動作の制御が行われている。
【００２４】
また図２に示すように、本体の右側には、加熱コイル５を制御する制御部として誘導加熱制御部１２、を配置しており、その上面に加熱コイル６、調理庫８を加熱する、シーズヒータ９及び加熱コイル１０を制御する誘導加熱制御部１３を備えている。誘導加熱制御部１２と誘導加熱制御部１３の間に操作部７、１１と表示部１５、報知部１６に電力を供給する電池部１４を備えている。操作部7、１１は各加熱コイルの制御や、タイマー機能などを設定するためのスイッチを備えており、図示していない動作状況を表示する表示部１５は、各加熱コイル４、５、６の近傍にて加熱状況の明示を行う光るリングといわれる略環状を光らせる発光ダイオードであるＬＥＤと、加熱強度や加熱時間を示す数値や文字による表示である７セグメントのＬＥＤ、あるいは、液晶表示素子と、を備えている。また、報知部１６は操作部７や操作部１１による操作の受け付、動作条件、及び異常状態を報知するスピーカーやスピーカーからの音声案内などを有している。また、誘導加熱制御部１３と同じ段に、先に述べた各誘導加熱制御部１２、１３、表示部１５、操作部7、１１、及び報知部１６を制御する制御部１７を有している。
【００２５】
誘導加熱とは、天面２の加熱コイル４、５、６が内蔵されている箇所の上方の天面２に被加熱物が載置された場合に被加熱物を検知し、商用電源からインバータ回路により高周波電流を加熱コイルに流し被加熱物の底面を誘導加熱するとともに、温度調節、及び、表示部１５における加熱部の表示、及び、誘導加熱調理器において通常の加熱調理を行うことである。
【００２６】
また、デモ動作とは加熱コイル４、５、６、１０、及びシーズヒータ９の加熱動作を禁止するとともに、操作部７、１１から表示部１５、報知部１６へは通常の誘導加熱時の信号が送られ、実際には加熱はしていないがあたかも加熱しているかのように機器を動作させることである。したがって、加熱調理はしない。
【００２７】
例えば、加熱コイル４で被加熱物である鍋をあたかも加熱するようなデモを行う場合、まず操作部７における加熱コイル４を加熱させるスイッチを押す。その結果、表示部に含まれる加熱コイル４の加熱を表示するＬＥＤと加熱強度を示すＬＥＤが点灯しあたかも加熱しているかの動作を示す。その後停止スイッチを押すと点灯していたＬＥＤが消灯し終了する。
【００２８】
以上のように構成された誘導加熱調理器において、以下にその動作、作用を説明する。
【００２９】
電池部１４の電源を用いて、操作部７、１１、表示部１５、報知部１６、及び制御部１７に操作が可能な電力供給をすることにより、デモ動作を行うことが可能となる。電池部１４の電源は、加熱コイル４、５、６、１０、シーズヒータ９には電力を供給していないため、加熱動作を行うことは出来ない。
【００３０】
これにより、商用電源、すなわち２００Ｖ及び１００Ｖの電源が無い環境下においても商品の操作性や動作したときの表示・報知状態を体験することができる。また意図的にデモ動作のみを行うようになっているため、誤動作により加熱し、高温になる心配は無い。
【００３１】
なお、電池部１４の電池残量は操作部７あるいは、表示部１５に設けた図示していない電池残量表示部により表示するようにしてもよい。
【００３２】
（実施の形態２）
実施の形態２では、電池電源における誘導加熱調理器のデモ動作に関して詳細に説明する。
【００３３】
図３は本発明の実施の形態２における誘導加熱調理器を示すブロック図である。図３において、誘導加熱調理器には、先に述べたように、電池部１４を設けており、制御部１７に電力を供給している。また、制御部１７には、加熱コイル５の動作を制御する誘導加熱制御部１２及び加熱コイル１０を制御する誘導加熱制御部１３（総じて誘導加熱制御部１８とする）と、電池部１４の電源を検知する、すなわち電池が接続されているかの有無を確認する電池電源検知部１９と、加熱コイル５、１０の動作状態、すなわち誘導加熱部の加熱状態を表示する表示部１５と、操作部７及び操作部１１（総じて操作部２０とする）と、操作部２０による操作の受け付けや異常などを報知する報知部１６と、を設けている。
【００３４】
以上のように構成された誘導加熱調理器において、以下にその動作、作用を説明する。
【００３５】
誘導加熱調理器は、電池電源検知部１９が電池電源を検知した場合、すなわち電源を供給する電池が接続された場合、制御部１７にて誘導加熱の禁止を行うとともに、前述した前記デモ動作の説明にあるように、操作部２０から表示部１５、報知部１６へ加熱信号が送られ、実際には加熱はしていないがあたかも加熱しているかのように機器を動作させることが出来る。
【００３６】
これにより、誘導加熱調理器に商用電源が接続出来ないような環境においても、電池が接続されているかの有無を確認する電池電源検知部１９が電池を検知して、電池を電源とすることによってデモ動作をさせることが可能となる。
【００３７】
（実施の形態３）
図４は本実施の形態３の誘導加熱調理器のブロック図を示すものである。
【００３８】
図４において、図３との相違点は、商用電源２１、機器の電源の入り切りを行う電源スイッチ２２、誘導加熱部２３であり、誘導加熱部２３は、ダイオードブリッジ２４と、加熱コイル２５と、スイッチング素子２６と、が備えられて構成されている。また、商用電源２１の電源電圧を検知する電源電圧検知部２７を設けている。前述の実施の形態１、２と同じ他の構成には、同じ符号を付しており、説明を省略する。
【００３９】
以上のように構成された誘導加熱調理器は商用電源２１、すなわち２００Ｖ電源に接続され、電源電圧検知部２７が商用電源を検知した場合、操作部２０を用いて、誘導加熱部２３の加熱を行うことが可能となる。
【００４０】
なお、１００Ｖ電源に接続された場合には、図示していない昇圧回路により昇圧して、誘導加熱を行ってもよい。
【００４１】
また、商用電源２１の接続を電源電圧検知部２７、および電池の接続を電池電源検知部１９がともに検知した場合、電池部の電源を停止させことにより、商用電源２１のみを利用して誘導加熱調理器を動作させる。
【００４２】
また、商用電源２１が接続されておらず、電池部１４が接続されている状態のときは、表示部１５にて電源電圧が接続されていないことを表示し、実施の形態１で述べたようにデモ動作を行う。
【００４３】
なお、誘導加熱調理器は、一口の火口に限らず、それ以上の口数を持ったものであっても応用は可能である。
【００４４】
（実施の形態４）
図５は本実施の形態４の誘導加熱調理器のブロック図を示すものである。また図６はこの実施の形態４におけるフローチャートである。
【００４５】
図５において、図４との相違点はデモ設定部２８を設けたことである。前述の実施の形態３と同じ他の構成には、同じ符号を付しており、説明を省略する。また、図６のフローチャートにおいて、ステップＳ１００は、電源スイッチ２２の入切を確認し、電源が入っている、電源スイッチがＯＮしている場合には、ステップＳ１０１に進み、本体が２００Ｖないしは１００Ｖの電源に接続されているかの確認を行う。次に電源が入っている場合には、ステップＳ１０２に進み、電池部１４に電池が接続されているかの確認を行う。電池が接続されている場合、ステップＳ１０３に進み電池部からの電源を切る。その後、ステップＳ１０４に進みデモ設定を確認し、デモ設定の場合には、ステップＳ１０５に進み商用電源によるデモ動作を行い、デモ設定が行われていない場合には、ステップＳ１０６に進み商用電源による誘導加熱動作を行う。また、ステップＳ１００の電源スイッチを入れた際にステップＳ１０１において商用電源に接続されていなかった場合、ステップＳ１０７に進み電池部に接続しているかを確認する。電池部に接続されている場合は、ステップＳ１０８に進み電池電源によるデモ動作を行う。
【００４６】
以上のように構成された誘導加熱調理器において、以下にその動作、作用を説明する。実施の形態３で述べた、電源電圧検知部２７が、商用電源２１が接続されたと判断した状態において、デモ設定部にデモ動作を行ように入力された場合、商用電源２１の電源を用いて、実施の形態１で述べたデモ動作を実施する。
【００４７】
また、デモ設定部２８は一般家庭では機器として必要がないものであり、デモ動作時に顧客が簡単にデモ動作と通常動作を変更することが出来ないように、操作部１１において、複数の操作スイッチのうち、所定の３つを同時に押した場合にデモ動作に移行する入力にしておけば、無意味なスイッチを増やすことなく実現することができる。
【００４８】
（実施の形態５）
図７は本実施の形態５の誘導加熱調理器のブロック図を示すものである。図７において、図５との相違点は、電池充電部２９が追加されたことである。本実施の形態の基本構成は実施の形態１と同じなので、異なる点を中心に説明する。また、実施の形態１と同じ要素には同じ符号を付し、その説明は省略する。
【００４９】
以上のように構成された誘導加熱調理器において、以下にその動作、作用を説明する。
【００５０】
実施の形態３で述べた、電源電圧検知部２７および、電池電源検知部１９において、それぞれが商用電源２１、電池部１４が接続されていると検知した場合、商用電源２１を電源とし、操作部２０を用いて、誘導加熱部２３の加熱を行いつつ、電池充電部２９を用いて電池部１４の充電を行うことにより、電池の残量が無い場合、加熱調理器を用いて電池を充電することができる。
【００５１】
なお、図示していない電池の残量を検知する電池残量検知部により充電が必要ない場合には、操作部２０において複数の操作スイッチのうち所定のスイッチを押すことにより充電の入り切りの切り替えが可能となる。
【００５２】
（実施の形態６）
図１１は従来の加熱調理器の断面図である。図１１において加熱コイル４用の誘導加熱制御部１２、加熱コイル５用の誘導加熱制御部４６、調理庫８と背面のコイル用の誘導加熱制御部１３を備えている。従来の加熱調理器の加熱コイル用の誘導加熱制御部４６を取り除き、その誘導加熱制御部４６の位置に、図１に示すように電池部１４を設けたもので
ある。実施の形態５で述べたように、電池部には、電池以外に、電池を充電する電池充電部を備えることも可能である。
【００５３】
以上のように構成された加熱調理器において以下に動作、作用を説明する。
【００５４】
本発明の形態６によれば、上記の構成により、本体１内に電池部１４を収納することになり、加熱調理器の外部に電池を露出する必要が無くなり、展示時の電池部１４の設置位置に困る必要が無くなる。
【００５５】
また、電池部１４は本体１の内部に内蔵されているため、展示時に閲覧している顧客が容易に触れることが抑制される。
【００５６】
（実施の形態７）
図８は本発明の実施の形態７における誘導加熱調理器の斜視図である。図８において、図１との相違点は外郭ケース３の側面内部に電池を収納する電池収納部３０と外郭ケース３の側面に電池を着脱する電池着脱部３１を設けたことである。この電池着脱部３１は、電池を取り出す扉３２と、扉３２を固定するために設けたネジ３３、３４と、で構成される。また、電池収納部３０には、図示していない電池充電部２９を取り付けており、電池の充電が可能となっている。
【００５７】
以上のように構成された誘導加熱調理器において以下に動作、作用を説明する。
【００５８】
本発明の形態７によれば、上記の構成により、電池部１４のみを本体１から取り出すことが可能となり、電池のみを持ち運び充電することが出来る。
【００５９】
また電池着脱用の扉にネジを設けたことによって、展示時に誤って扉を開け電池を取り外すことがない一方で、工具を使用可能な販売員のみが容易に電池の着脱をおこなうことが出来る。
【００６０】
なお、図９に示すように、電池着脱部３５を調理庫８内に設けてもよい。これにより、調理庫８内に着脱用の扉３６を設けたことから、誘導加熱調理器をキッチン等の置き台から取り出すことなく本体１内の電池を調理庫８内の側面から着脱することができる。
【００６１】
また、電池着脱部を本体外郭ケースの前面及び、後面に設けてもよい。
【００６２】
（実施の形態８）
図１０は本発明の実施の形態８における加熱調理器の斜視図である。図１０において、本体３９は、展示時に用いるキャビネット４０に設置されており、本体３９の前面の右上に設置した接続部４１は、ケーブル４２を介して電池部４３と接続されている。この電池部４３は電池４４と電池接続部４５からなっており、ケーブル４２に電池接続部４５を接続している。電池部４３は、キャビネット４０の下部にあるスペースに収納されている。
【００６３】
以上のように構成された誘導加熱物調理器において以下に動作、作用を説明する。
【００６４】
本発明の形態８によれば、上記の構成により、電池部４３を本体３９から取り外し、持ち運ぶことが可能となり、電池４４のみを持ち運び充電することが出来る。
【００６５】
なお、ケーブル４２を用いた接続なため、本体３９から離れた位置に電池部４３を設置することも可能である。本実施の形態では、キャビネット４０の下部に電池部４３を設置したが、ケーブル４２の長さを変更すれば、離れた地点に設置することも可能である。
【００６６】
また、本実施の形態において、電池部４３との接続部４１は本体の前面に設置したが、本体３９の後面、本体３９の側面などに設置してもよい。
【産業上の利用可能性】
【００６７】
以上のように、本発明にかかる誘導加熱調理器は、電池を本体に接続するように構成され、電池を電源とした際に、加熱動作を禁止するとともに、誘導加熱調理器の操作部、表示部および報知部を通常動作と同じ動作でデモが可能となるので、卓上、据え置き、及び組み込み式の誘導加熱調理器の用途に適用できる。
【符号の説明】
【００６８】
１  本体
２  天面（トッププレート）
３  外郭ケース
４  加熱コイル（誘導加熱部）
５  加熱コイル（誘導加熱部）
６  加熱コイル（誘導加熱部）
７  操作部
８  調理庫
９  シーズヒータ
１０  加熱コイル（誘導加熱部）
１１  操作部       
１２  誘導加熱制御部
１３  誘導加熱制御部
１４  電池部
１５  表示部
１６  報知部
１７  制御部
１８  誘導加熱制御部
１９  電池電源検知部
２０  操作部
２１  商用電源
２２  電源スイッチ
２３  誘導加熱部
２４  ダイオードブリッジ
２５  加熱コイル
２６  スイッチング素子
２７  電源電圧検知部
２８  デモ設定部
２９  電池充電部
３０  電池収納部
３１  電池着脱部
３２  扉
３３  ネジ
３４  ネジ
３５  電池着脱部
３６  扉
３７  ネジ
３８  ネジ
３９  本体
４０  キャビネット
４１  接続部
４２  ケーブル
４３  電池部
４４  電池
４５  電池接続部
４６  誘導加熱制御部
【図１】
2017168231.tif 000003
【図２】
2017168231.tif 000004
【図３】
2017168231.tif 000005
【図４】
2017168231.tif 000006
【図５】
2017168231.tif 000007
【図６】
2017168231.tif 000008
【図７】
2017168231.tif 000009
【図８】
2017168231.tif 000010
【図９】
2017168231.tif 000011
【図１０】
2017168231.tif 000012
【図１１】
2017168231.tif 000013